(57)【要約】【課題】円筒形状の物品を横に伏せた状態で収容して、洗浄液などで洗浄するとともに、運搬したり、重ねて管理したりするのに好適な収容用容器を提供する。また、Ｘ線、赤外線などで物品を検査するのに適し、収容物が飛び出すことのない収容用容器を提供する。【解決手段】  略矩形状の底壁２０４と、底壁２０４の長側辺から立設された長側壁２１０，２１２と、底壁２０４の短側辺から立設された短側壁２０６，２０８とから構成される上部が開口した箱体形状の容器本体２１４と、略円筒形状の物品２４０を横に伏せた状態で収容する物品収容部２３０と、長側壁２１０，２１２の上縁２１０ａ，２１２ａを含む範囲を切欠いて形成された長側側切欠部２１６，２１６と、底壁２０４と、長側壁２１０、２１２と、短側壁２０６，２０８とに形成された複数の水抜き孔２２０と、物品収容部２３０の底壁２０４に形成され、容器本体長手方向から視て、略Ｖ字状で、前記物品収容部２３０に収容された略円筒形状の物品２４０の外周部を移動不能に支持する支持リブ２２２と、から構成されていることを特徴としている。【選択図】図１
2005132485.tif 000002
【特許請求の範囲】
【請求項１】
略矩形形状の底壁と、
前記底壁の長側辺から立設された一対の対向する長側壁と、
前記底壁の短側辺から立設された一対の対向する短側壁と、
から構成される上部が開口した箱体形状の容器本体と、
前記容器本体の内部に形成され、略円筒形状の物品を横に伏せた状態で収容する物品収容部と、
前記一対の対向する長側壁に、長側壁の上縁を含む範囲を切欠いて形成された長側側切欠部と、
前記底壁と、長側壁と、短側壁とに形成された複数の水抜き孔と、
前記物品収容部の底壁に形成され、容器本体長手方向から視て、略Ｖ字形状で、前記物品収容部に収容した略円筒形状の物品の外周部を移動不能に支持する支持リブとを備え、
前記支持リブが、前記容器本体の長手方向の軸線方向に対して、所定角度傾斜して交差する格子状に形成された傾斜格子状支持リブから構成されていることを特徴とする収容用容器。
【請求項２】
前記長側壁に形成された水抜孔が、前記容器本体の長手方向の軸線方向に対して、所定角度傾斜して交差する格子状に形成された傾斜格子状水抜孔から構成されていることを特徴とする請求項１に記載の収容用容器。
【請求項３】
前記長側壁に形成された傾斜格子状水抜孔が、前記長側側切欠部の下方の長側壁に形成されていることを特徴とする請求項２に記載の収容用容器。
【請求項４】
前記一対の対向する短側壁の少なくとも一方に、開口窓部が形成されていることを特徴とする請求項１から３のいずれかに記載の収容用容器。
【請求項５】
前記長側側切欠部の容器本体の長手方向の幅Ａが、前記短側壁の容器本体の短手方向の長さＢよりも僅かに大きく、
前記長側側切欠部の容器本体の高さ方向の深さＣが、前記容器本体の長側壁の高さＤの１／２以上の大きさであり、
前記容器本体同士を９０°ずらして交差するように上下に積み重ねるクロス積みを行う際に、下方に位置する容器本体の長側側切欠部を貫通するように、上方に位置する容器本体の長側側切欠部下方の容器本体部分が、下方に位置する容器本体の長側側切欠部に載置されるように構成されていることを特徴とする請求項１から４のいずれかに記載の収容用容器。
【請求項６】
前記長側側切欠部の容器本体の長手方向の幅Ａが、前記短側壁の容器本体の短手方向の長さＢの整数倍の大きさよりも僅かに大きく、
前記長側側切欠部の容器本体の高さ方向の深さＣが、前記容器本体の長側壁の高さＤの１／２以上の大きさであり、
前記容器本体同士を９０°ずらして交差するように上下に整数個ずつ積み重ねるクロス積みを行う際に、下方に位置する容器本体の長側側切欠部を貫通するように、上方に位置する容器本体の長側側切欠部下方の容器本体部分が、下方に位置する容器本体の長側側切欠部に載置されるように構成されていることを特徴とする請求項１から４のいずれかに記載の収容用容器。
【請求項７】
前記容器本体の底壁の下面には、前記容器本体同士を９０°ずらして交差するように上下に積み重ねるクロス積みを行う際に、下方に位置する容器本体の前記傾斜格子状支持リブを収容する収容する収容凹部が形成されていることを特徴とする請求項１から６のいず
れかに記載の収容用容器。
【請求項８】
前記一対の対向する短側壁の少なくとも一方の近傍の底壁に、略円筒形状の物品の長手方向の移動を規制する移動防止リブが立設されていることを特徴とする請求項１から７のいずれかに記載の収容用容器。
【請求項９】
前記一対の対向する短側壁の少なくとも一方の開口窓部に、略円筒形状の物品の長手方向の移動を規制する物品飛び出し防止リブが立設されていることを特徴とする請求項４から８のいずれかに記載の収容用容器。
【請求項１０】
前記支持リブが、前記容器本体の短手方向に立設され、容器本体長手方向から視て、略Ｖ字形状の補助支持リブを備え、
前記補助支持リブが、前記長側側切欠部が形成されていない位置の底壁から長側壁にわたり形成されていることを特徴とする請求項１から９のいずれかに記載の収容用容器。
【請求項１１】
前記容器本体同士を、同じ方向に上下に重ね合わせた場合に、上下の容器本体同士が互いに移動不能に位置決めされるように、容器本体の上面に係止用凸部が形成されるとともに、前記係止用凸部に対応する位置に、容器本体の底面に係止用凸部に嵌合する係止用凹部が形成されていることを特徴とする請求項１から１０のいずれかに記載の収容用容器。
【請求項１２】
前記容器本体同士を、同じ方向に上下に重ね合わせた場合に、上下の容器本体同士が互いに移動不能に位置決めされるように、容器本体の底面に、下方に位置する容器本体の上部の開口に嵌合する係止用凸部が形成されていることを特徴とする請求項１から１０のいずれかに記載の収容用容器。
【請求項１３】
前記支持リブの略円筒形状の物品と接触する表面に滑り止め防止部が形成されていることを特徴とする請求項１から１２のいずれかに記載の収容用容器。
【請求項１４】
前記容器本体同士を、１８０°異なる方向で上下に重ね合わせた場合に、嵩が高くなり、
前記容器本体同士を、同じ方向に上下に重ね合わせた場合に、嵩が低くなるようにするスタッキング・ネスティング機構が容器本体に備えられていることを特徴とする請求項１から１３のいずれかに記載の収容用容器。
【請求項１５】
前記容器本体の長側壁、短側壁の少なくとも一方の外側に、ラベル貼り付け用平坦部が形成されていることを特徴とする請求項１から１４のいずれかに記載の収容用容器。
【請求項１６】
前記容器本体の一対の対向する短側壁の上縁には、ラベル貼り付け用凹部が形成されていることを特徴とする請求項１から１５のいずれかに記載の収容用容器。
【請求項１７】
前記開口窓部は、略矩形状に形成されているとともに、該開口窓部の縦横の長さの少なくとも一方の長さは、前記略円筒状の物品の直径より小さく形成されていることを特徴とする請求項１から１６のいずれかに記載の収容用容器。
【請求項１８】
前記容器本体の底面には、その外縁部のやや内側を囲む範囲に、下方に突出する係止用凸部を形成するとともに、この係止用凸部における長辺部に、所定間隔離間してバンド掛け用凹部が互いに対向して形成されていることを特徴とする請求項１から１７のいずれかに記載の収容用容器。
【請求項１９】
前記短側壁に形成された開口窓部を水平方向に横断するように、前記短側壁の外面にチ
ャック対応凹部を形成したことを特徴とする請求項１〜１８のいずれかに記載の収容用容器。
【発明の詳細な説明】
【技術分野】
【０００１】
本発明は、収容用容器に関し、より詳細には、略円筒形状の物品を横に伏せた状態で収容して、収容された物品を洗浄液などで洗浄するとともに、Ｘ線、赤外線などで物品を検査するのに適した収容用容器に関する。
【背景技術】
【０００２】
例えば、鮮魚、野菜、果物、日常品、建築資材、電気・電子部品、精密部品などの物品の中には、全体の形状が、略円筒状の物品がある。また、これらの略円筒状の物品の中には、人の手に触れずに運搬したり、洗浄液、処理液などで処理したり、品質検査を実施することが必要な物品がある。
【０００３】
このような場合には、物品を損傷したり、汚染したりしないように、取り扱い上、一個づつ専用の収容用容器内に収容された状態で、運搬、処理されることが好ましい。
ところで、このような略円筒状の物品を保管、運搬のために収容する収容用容器としては、従来、特許文献１のようなパレットが提案されている。
【０００４】
この特許文献１のパレットは、略Ｖ字形状の物品受け溝が形成された枕材を、矩形箱枠本体の長手方向または短手方向に、係止部材によって着脱自在に装着して、略円筒状の物品を物品受け溝上に横に伏せた状態で載置するように構成されている。また、この物品受け溝表面には、物品の保護、滑り止め防止のために、ゴムなどの軟質材料からなる物品保護部材が取り付けられている。
【特許文献１】実開昭５８−６５２３３号公報
【発明の開示】
【発明が解決しようとする課題】
【０００５】
しかしながら、特許文献１に開示されるような従来の収容用容器は、使用に際して、枕材を、矩形箱枠本体に取り付けなければならず、煩雑な作業が必要である。
また、特許文献１の収容用容器は、略円筒状の物品（以下、単に「物品」と言う）を収納、保管、運搬を主目的とした収容用容器である。
【０００６】
このため、収容用容器内に収容した物品に対して、洗浄液、処理液などで処理するのには不向きであり、洗浄性などの処理効率が良好ではないものである。すなわち、洗浄液、処理液などで処理する際には、矩形箱枠本体の底部、長側壁、および短側壁からなる壁部が邪魔になって、物品のすみずみまで、これらの処理液を、例えば、噴出ノズルによって噴霧して、洗浄などの処理を行うことは困難である。
【０００７】
また、このような処理液を処理容器に噴霧した後、従来の収容用容器では、処理液を排出することができず、収容用容器内に滞留してしまい、汚染した処理液によって、かえって物品が汚染されることにもなっていた。
【０００８】
さらに、従来の収容用容器では、物品を収容用容器内に収容する際には、矩形箱枠本体の底部、長側壁、および短側壁からなる壁部が邪魔になって、マニュプレータなどのピックアップ装置を使用することが困難である。
【０００９】
このため、作業者が物品を手で収容、取り出しするようにしなければならず、作業性が悪く、大量に連続的に処理することが不可能である。しかも、電子部品などの汚染、損傷を極端にきらう物品においては、使用が困難であり、さらに、物品の重量が重い場合には
、使用することが困難であった。
【００１０】
また、例えば、コンベアなどの搬送ラインを利用して、大量に連続的に処理する場合に、従来の収容用容器においては、ライン上方の搬送方向上流側に配置したカメラによって搬送ライン上を搬送されてくる収容用容器内の物品の確認を行う際に、矩形箱枠本体の短側壁からなる壁部が邪魔になって、確認作業が困難であり、大量に連続的に処理することが困難になっていた。
【００１１】
また、ラインの下方または側部に配置したＸ線、赤外線などの照射検査装置による物品内部の品質などの検査の際に、矩形箱枠本体の底部、長側壁、および短側壁からなる壁部が邪魔になって、検査が困難であり、大量に連続的に処理することが困難になっていた。
【００１２】
さらに、従来の収容用容器では、物品を収納しない状態で、収容用容器同士を上下に重ね積みして保管、運搬する場合に嵩が高くなってしまい、保管、運搬スペースが必要であり、不便であった。
【００１３】
また、従来の収容用容器では、仮に収容用容器が転倒したりした場合には、その衝撃により、内部の物品が飛び出てしまうという問題があった。この問題に対処するために、収容用容器の外側にバンドを掛け回すことにより、容器本体と物品とを一体化することも行われているが、従来の収容用容器では、バンドを掛けたとしても、バンドを掛けた位置がずれ易く、大幅にずれてしまった場合には、物品が飛び出してしまうという問題があった。
【００１４】
本発明は、このような現状に鑑み、使用に際して、煩雑な作業が不要で、略円筒状の物品を汚染、損傷することなく、例えば、マニュプレータなどのピックアップ装置によって、収容用容器内に収容し、収容用容器内から取り出しすることが可能な収容用容器を提供することを目的とする。
【００１５】
また、本発明は、収容用容器内に収容した物品に対して、洗浄液、処理液などで処理する際にも、物品のすみずみまで洗浄などの処理を行うことができ、処理液を収容用容器内に滞留することなく収容用容器外に排出することが可能で、洗浄性などの処理効率が良好な収容用容器を提供することを目的とする。
【００１６】
さらに、本発明は、例えば、コンベアなどの搬送ラインを利用して、大量に連続的に処理する場合に、ライン上方の搬送方向上流側に配置したカメラによって搬送ライン上を搬送されてくる収容用容器内の物品の確認作業、ラインの下方または側部に配置したＸ線、赤外線などの照射検査装置による物品内部の品質などの検査を効率良く実施することができる収容用容器を提供することを目的とする。
【００１７】
また、本発明は、物品を収納しない状態で、収容用容器同士を上下に重ね積みして保管、運搬する場合に嵩が高くならず、保管、運搬スペースが小さくなり、取り扱いに便利な収容用容器を提供することを目的とする。
【００１８】
また、本発明は、収容された物品の飛び出し、落下を確実に防止することのできる収容用容器を提供することを目的としている。
さらに、本発明は、チャックによる自動取り出しが容易な収容用容器を提供することを目的としている。
【課題を解決するための手段】
【００１９】
本発明は、前述したような従来技術における課題及び目的を達成するために発明された
ものであって、本発明の収容用容器は、略矩形形状の底壁と、
前記底壁の長側辺から立設された一対の対向する長側壁と、
前記底壁の短側辺から立設された一対の対向する短側壁と、
から構成される上部が開口した箱体形状の容器本体と、
前記容器本体の内部に形成され、略円筒形状の物品を横に伏せた状態で収容する物品収容部と、
前記一対の対向する長側壁に、長側壁の上縁を含む範囲を切欠いて形成された長側側切欠部と、
前記底壁と、長側壁と、短側壁とに形成された複数の水抜き孔と、
前記物品収容部の底壁に形成され、容器本体長手方向から視て、略Ｖ字形状で、前記物品収容部に収容した略円筒形状の物品の外周部を移動不能に支持する支持リブとを備え、
前記支持リブが、前記容器本体の長手方向の軸線方向に対して、所定角度傾斜して交差する格子状に形成された傾斜格子状支持リブから構成されていることを特徴とする。
【００２０】
このように構成することによって、支持リブによって、物品収容部に収容した略円筒形状の物品の外周部を移動不能に支持することができるので、物品を安定した状態で収納でき、搬送中の振動などによって、物品が移動して容器本体の壁部などに当たって、物品自体が破損損傷するのを防止することができる。
【００２１】
しかも、支持リブが、容器本体長手方向から視て、略Ｖ字形状であるので、大小異なる直径を有する略円筒形状の物品であっても、いずれもその外周部を移動不能に支持することができる。
【００２２】
また、一対の対向する長側壁に、長側壁の上縁を含む範囲を切欠いて形成された長側側切欠部が形成されているので、使用に際して、この長側側切欠部を介して、例えば、マニュプレータなどのピックアップ装置を挿入して操作することができ、煩雑な作業が不要で、略円筒状の物品を汚染、損傷することなく、収容用容器内に収容し、収容用容器内から取り出しすることが可能である。
【００２３】
また、一対の対向する長側壁に、長側壁の上縁を含む範囲を切欠いて形成された長側側切欠部が形成されているので、収容用容器内に収容した物品に対して、例えば、噴出ノズルによって、上方の開口部および長側側切欠部を介して、洗浄液、処理液などを噴霧できるので、洗浄液、処理液などで処理する際にも、物品のすみずみまで洗浄などの処理を行うことができる。
【００２４】
また、底壁と、長側壁と、短側壁とに形成された複数の水抜き孔を有しているので、これらの水抜き孔を介して、処理液を収容用容器内に滞留することなく収容用容器外に排出することが可能で、洗浄性などの処理効率が良好となる。
【００２５】
さらに、このような構成の収容用容器では、支持リブが、容器本体の長手方向の軸線方向に対して、所定角度傾斜して交差する格子状に形成された傾斜格子状支持リブから構成されている。
【００２６】
従って、例えば、コンベアなどの搬送ラインを利用して、大量に連続的に処理する場合に、搬送ライン上を搬送されてくる収容用容器内の物品に対して、ラインの下方または側部に配置したＸ線、赤外線などの照射検査装置による物品内部の品質などの検査を実施する際に、Ｘ線、赤外線などの照射検査装置では、ラインの進行方向、すなわち、略円筒形状の物品の軸線方向に対して、垂直な方向で断面を取って検査することになる。
【００２７】
このために、支持リブが容器本体の軸線方向と平行な直交リブから構成されている場合
には、リブが直線として映ってしまい、物品の内部の検査の邪魔になってしまうが、上記のように傾斜格子状支持リブから構成されている場合には、このような映りこみを減少することができ、Ｘ線、赤外線などの照射検査装置による物品内部の品質などの検査を効率良く実施することができる。
【００２８】
また、本発明の収容用容器は、前記長側壁に形成された水抜孔が、前記容器本体の長手方向の軸線方向に対して、所定角度傾斜して交差する格子状に形成された傾斜格子状水抜孔から構成されていることを特徴とする。
【００２９】
このように長側壁に形成された水抜孔が、容器本体の長手方向の軸線方向に対して、所定角度傾斜して交差する格子状に形成された傾斜格子状水抜孔から構成されているので、ラインの側部に配置したＸ線、赤外線などの照射検査装置による物品内部の品質などの検査を実施する際に、上記したような映りこみを減少することができ、Ｘ線、赤外線などの照射検査装置による物品内部の品質などの検査を効率良く実施することができる。
【００３０】
また、本発明の収容用容器は、前記長側壁に形成された傾斜格子状水抜孔が、前記長側側切欠部の下方の長側壁に形成されていることを特徴とする。
このように構成することによって、少なくとも、長側側切欠部の位置の上下に渡って、上記したような映りこみを減少することができ、Ｘ線、赤外線などの照射検査装置による物品内部の品質などの検査を効率良く実施することができる。
【００３１】
また、本発明の収容用容器は、前記一対の対向する短側壁の少なくと一方に、開口窓部が形成されていることを特徴とする。
このように構成することによって、短側壁の少なくと一方に、開口窓部が形成されているので、この開口窓部を介して、例えば、コンベアなどの搬送ラインを利用して、大量に連続的に処理する場合に、ライン上方の搬送方向上流側に配置したカメラによって搬送ライン上を搬送されてくる収容用容器内の物品の先端または両端の確認を確実に行うことが可能である。
【００３２】
また、本発明の収容用容器は、前記長側側切欠部の容器本体の長手方向の幅Ａが、前記短側壁の容器本体の短手方向の長さＢよりも僅かに大きく、
前記長側側切欠部の容器本体の高さ方向の深さＣが、前記容器本体の長側壁の高さＤの１／２以上の大きさであり、
前記容器本体同士を９０°ずらして交差するように上下に積み重ねるクロス積みを行う際に、下方に位置する容器本体の長側側切欠部を貫通するように、上方に位置する容器本体の長側側切欠部下方の容器本体部分が、下方に位置する容器本体の長側側切欠部に載置されるように構成されていることを特徴とする。
【００３３】
このように構成することによって、容器本体同士を９０°ずらして交差するように上下に積み重ねるクロス積みを行う際に、長側側切欠部の容器本体の長手方向の幅Ａが、短側壁の容器本体の短手方向の長さＢよりも僅かに大きいので、上方に位置する容器本体の長側側切欠部下方の容器本体部分を、下方に位置する容器本体の長側側切欠部内に収容することができる。
【００３４】
しかも、この場合に、長側側切欠部の容器本体の高さ方向の深さＣが、容器本体の長側壁の高さＤの１／２以上の大きさであるので、上方に位置する容器本体の長側側切欠部下方の容器本体部分の上端が、下方に位置する容器本体の長側壁の上端位置より突出しない位置となる。
【００３５】
従って、上方に位置する容器本体のさらに上方に位置する容器本体が、同じ姿勢で位置
する下方の容器本体の上面に接地状態で載置されることになるので、嵩が高くなることなく、しかも安定してクロス積みを行うことができる。
【００３６】
さらに、この際には、下方の容器本体の長側側切欠部の両側の側端面が、上方の容器本体の長側壁に当接することになり、容器本体が軸方向に移動するのが阻止され、安定してクロス積みができ、搬送の際の振動などによって容器同士がずれ、荷くずれが発生するのを防止することができる。
【００３７】
従って、このような繰り返しのクロス積みによって、下方に位置する容器本体の長側側切欠部を貫通するように、上方に位置する容器本体の長側側切欠部下方の容器本体部分が、下方に位置する容器本体の長側側切欠部に載置されるようになり、物品を収納しない状態で、収容用容器同士を上下に重ね積みして保管、運搬する場合に、安定して、嵩張らず、保管スペースを小さくできるとともに、取り扱いに便利で、搬送効率を向上することができる。
【００３８】
また、本発明の収容用容器は、前記長側側切欠部の容器本体の長手方向の幅Ａが、前記短側壁の容器本体の短手方向の長さＢの整数倍の大きさよりも僅かに大きく、
前記長側側切欠部の容器本体の高さ方向の深さＣが、前記容器本体の長側壁の高さＤの１／２以上の大きさであり、
前記容器本体同士を９０°ずらして交差するように上下に整数個ずつ積み重ねるクロス積みを行う際に、下方に位置する容器本体の長側側切欠部を貫通するように、上方に位置する容器本体の長側側切欠部下方の容器本体部分が、下方に位置する容器本体の長側側切欠部に載置されるように構成されていることを特徴とする。
【００３９】
このように構成することによって、容器本体同士を９０°ずらして交差するように上下に整数個ずつ積み重ねるクロス積みを行うことができ、物品を収納しない状態で、収容用同士を上下に重ね積みして保管、運搬する場合に、安定して、嵩張らず、保管スペースを小さくできるとともに、取り扱いに便利で、搬送効率を向上することができる。
【００４０】
また、本発明の収容用容器は、前記容器本体の底壁の下面には、前記容器本体同士を９０°ずらして交差するように上下に積み重ねるクロス積みを行う際に、下方に位置する容器本体の前記傾斜格子状支持リブを収容する収容する収容凹部が形成されていることを特徴とする。
【００４１】
このように構成することによって、容器本体同士を９０°ずらして交差するように上下に積み重ねるクロス積みを行う際に、下方に位置する容器本体の傾斜格子状支持リブが、容器本体の底壁の下面の収容凹部に収容されることになるので、傾斜格子状支持リブが邪魔にならず、嵩が高くなることなく、安定してクロス積みを行うことができる。
【００４２】
また、本発明の収容用容器は、前記一対の対向する短側壁の少なくとも一方の近傍の底壁に、略円筒形状の物品の長手方向の移動を規制する移動防止リブが立設されていることを特徴とする。
【００４３】
このように構成することによって、略円筒形状の物品を横に伏せた状態で、容器本体の物品収容部に収容した際に、移動防止リブによって、物品の長手方向の移動が阻止されるので、搬送中などの振動によって容器本体の内部で、物品が移動して、検査などを行う際に一定の検査を行うことができず、しかも、物品が移動して容器本体の壁部などに当たって、物品自体が破損損傷するのを防止することができる。
【００４４】
また、本発明の収容用容器は、前記一対の対向する短側壁の少なくとも一方の開口窓部
に、略円筒形状の物品の長手方向の移動を規制する物品飛び出し防止リブが立設されていることを特徴とする。
【００４５】
このように構成することによって、略円筒形状の物品を横に伏せた状態で、容器本体の物品収容部に収容した際に、開口窓部に立設した物品飛び出し防止リブによって、物品の長手方向の移動が阻止されるので、搬送中などの振動によって容器本体の内部で、物品が移動して、検査などを行う際に一定の検査を行うことができず、しかも、物品が移動して容器本体の壁部などに当たって、物品自体が破損損傷するのを防止することができるとともに、開口窓部から物品が収容用容器外部に飛び出して破損損傷するのを防止することができる。
【００４６】
また、本発明の収容用容器は、前記支持リブが、前記容器本体の短手方向に立設され、容器本体長手方向から視て、略Ｖ字形状の補助支持リブを備え、
前記補助支持リブが、前記長側側切欠部が形成されていない位置の底壁から長側壁にわたり形成されていることを特徴とする。
【００４７】
このように構成することによって、補助支持リブによって、物品収容部に収容した略円筒形状の物品の外周部を、さらに移動不能に支持することができるので、物品を安定した状態で収納でき、搬送中の振動などによって、物品が移動して容器本体の壁部などに当たって、物品自体が破損損傷するのを防止することができる。
【００４８】
また、この補助支持リブが形成されているので、物品収容部に物品を収容した際に、リブの補強効果によって、長側壁が外方向に開いてしまうのを防止することができる。
しかも、補助支持リブが、容器本体長手方向から視て、略Ｖ字形状であるので、大小異なる直径を有する略円筒形状の物品であっても、いずれもその外周部を移動不能に支持することができる。
【００４９】
さらに、この補助支持リブが、長側側切欠部が形成されていない位置に形成されているので、ラインの側部に配置したＸ線、赤外線などの照射検査装置による物品内部の品質などの検査を長側側切欠部を介して実施する際に、長側側切欠部の位置に、補助支持リブが存在しないので、補助支持リブによる上記したような映りこみを減少することができ、Ｘ線、赤外線などの照射検査装置による物品内部の品質などの検査を効率良く実施することができる。
【００５０】
また、本発明の収容用容器は、前記容器本体同士を、同じ方向に上下に重ね合わせた場合に、上下の容器本体同士が互いに移動不能に位置決めされるように、容器本体の上面に係止用凸部が形成されるとともに、前記係止用凸部に対応する位置に、容器本体の底面に係止用凸部に嵌合する係止用凹部が形成されていることを特徴とする。
【００５１】
また、本発明の収容用容器は、前記容器本体同士を、同じ方向に上下に重ね合わせた場合に、上下の容器本体同士が互いに移動不能に位置決めされるように、容器本体の底面に、下方に位置する容器本体の上部の開口に嵌合する係止用凸部が形成されていることを特徴とする。
【００５２】
このように構成することによって、容器本体同士を、同じ方向に上下に重ね合わせた場合に、上下の容器本体同士が互いに移動不能に位置決めすることができるので、搬送の際の振動などによって容器同士がずれ、荷くずれが発生するのを防止することができる。
【００５３】
また、本発明の収容用容器は、前記支持リブの略円筒形状の物品と接触する表面に滑り止め防止部が形成されていることを特徴とする。
このように構成することによって、物品収容部に収容した略円筒形状の物品の外周部を、滑り止め防止部によって、さらに移動不能に支持することができるので、物品を安定した状態で収納でき、搬送中の振動などによって、物品が移動して容器本体の壁部などに当たって、物品自体が破損損傷するのを防止することができる。
【００５４】
さらに、本発明の収容用容器は、前記容器本体同士を、１８０°異なる方向で上下に重ね合わせた場合に、嵩が高くなり、
前記容器本体同士を、同じ方向に上下に重ね合わせた場合に、嵩が低くなるようにするスタッキング・ネスティング機構が容器本体に備えられていることを特徴とする。
【００５５】
このように構成することによって、容器本体同士を、１８０°異なる方向で上下に重ね合わせてスタッキングすることができ（いわゆる「異形状スタッキング」と言う）、容器本体同士を、同じ方向に上下に重ね合わせることができ（いわゆる「同形状ネスティング」同形状ネスティングと言う）、不使用時に嵩を低くして、省スペース化を図ることができ、運搬、保管に極めて便利である。
【００５６】
さらに、本発明の収容用容器は、前記容器本体の長側壁、短側壁の少なくとも一方の外側に、ラベル貼り付け用平坦部が形成されていることを特徴とする。
このように構成することによって、容器本体の長側壁、短側壁の少なくとも一方の外側に、ラベル貼り付け用平坦部が形成されているので、例えば、バーコードなどの識別ラベルを貼着することによって、収容用容器内に収容された物品の種類、製造年月日、仕向け先などの情報を把握することができるので、運搬、洗浄処理などの際に、自動化などを図ることができ、極めて効率的で便利である。
【００５７】
また、本発明は、前記容器本体の一対の対向する短側壁の上縁には、ラベル貼り付け用凹部が形成されていることを特徴としている。
このように、容器本体の短側壁の上縁に形成されたラベル貼り付け用凹部に、例えば、バーコードなどの識別ラベルを貼着すれば、容器本体の上方向からであっても、収容用容器内に収容された物品の種類、製造年月日、仕向け先などの情報を把握することができる。
【００５８】
さらに、本発明は、前記開口窓部は、略矩形状に形成されているとともに、該開口窓部の縦横の長さの少なくとも一方の長さは、前記略円筒状の物品の直径より小さく形成されていることを特徴としている。
【００５９】
このような構成であれば、仮に物品が容器本体の内部で移動するようなことがあったとしても、その物品が開口窓部から外に飛び出してしまうことを防止することができる。
また、本発明は、前記容器本体の底面に、その外縁部のやや内側を囲む範囲に、下方に突出する係止用凸部を形成するとともに、この係止用凸部における長辺部に、所定間隔離間してバンド掛け用凹部が互いに対向して形成されていることを特徴としている。
【００６０】
このような構成であれば、物品を収容した後に、このバンド掛け用凹部が形成
された位置にバンドを通せば、バンドの位置がずれてしまうことはない。したがって、物品の飛び出しを確実に防止することができる。
【００６１】
さらに、本発明では、前記短側壁に形成された開口窓部を水平方向に横断するように、前記短側壁の外面にチャック対応凹部を形成したことを特徴としている。
係る構成によれば、自動取り出しを行う場合に、例えばマニュプレータなどのピックアップ装置のチャックがこの凹部を介して挿入しやすくなるので、自動取り出しを行う場合の作業性を一段と向上させることができる。
【発明の効果】
【００６２】
本発明によれば、使用に際して、煩雑な作業が不要で、略円筒状の物品を汚染、損傷することなく、例えば、マニュプレータなどのピックアップ装置によって、収容用容器内に収容することが可能である。
【００６３】
また、本発明によれば、収容用容器内に収容した物品に対して、洗浄液、処理液などで処理する際にも、物品のすみずみまで洗浄などの処理を行うことができ、処理液を収容用容器内に滞留することなく収容用容器外に排出することが可能で、洗浄性などの処理効率が良好である。
【００６４】
さらに、本発明によれば、例えば、コンベアなどの搬送ラインを利用して、大量に連続的に処理する場合に、ライン上方の搬送方向上流側に配置したカメラによって搬送ライン上を搬送されてくる収容用容器内の物品の確認作業、ラインの下方または側部に配置したＸ線、赤外線などの照射検査装置による品質などの検査を効率良く実施することができる。
【００６５】
また、本発明によれば、物品を収納しない状態で、収容用容器同士を上下に重ね積みして保管、運搬する場合に嵩が高くならず、保管、運搬スペースが小さくなり、取り扱いに便利な収容用容器を提供することができる。
【００６６】
また、本発明によれば、短側壁の上縁に形成されたラベル貼り付け用凹部に、例えば、バーコードなどの識別ラベルを貼着すれば、容器本体の上方向からであっても、収容用容器内に収容された物品の種類、製造年月日、仕向け先などの情報を把握することができる。
【００６７】
さらに、本発明によれば、開口窓部の縦横の長さの少なくとも一方の長さを、前記略円筒状の物品の長軸方向の直径より小さくすれば、仮に物品が容器本体の内部で移動するようなことがあったとしても、その物品が開口窓部から外に飛び出してしまうことを防止することができる。
【００６８】
また、本発明によれば、前記容器本体の底面に、その外縁部のやや内側を囲む範囲に、下方に突出する係止用凸部を形成するとともに、この係止用凸部における長辺に、所定間隔離間してバンド掛け用凹部が互いに対向して形成されていれば、物品を収容した後に、このバンド掛け用凹部にバンドを通せば、バンドの位置がずれてしまうことはない。したがって、物品の飛び出しを確実に防止することができる。
【００６９】
さらに、本発明によれば、前記短側壁に形成された開口窓部を水平方向に横断するように、前記短側壁の外面にチャック対応凹部を形成すれば、自動取り出し時における、例えばマニュプレータなどのピックアップ装置のチャックがこの凹部を介して挿入しやすくなるので、自動取り出しを行う場合の作業性を一段と向上させることができる。
【発明を実施するための最良の形態】
【００７０】
以下、本発明の実施の形態（実施例）を図面に基づいてより詳細に説明する。
図１は、本発明の収容用容器の斜視図、図２は、図１の収容用容器の底面方向からの斜視図、図３は、図１の収容用容器の上面図、図４は、図３の収容用容器のＩ−Ｉ方向
の断面図である。
【００７１】
図１〜図４において、１は全体で本発明の収容用容器を示している。
図１および図２に示したように、収容用容器１は、略矩形状の底壁２と、この底壁２の
長側辺から立設された一対の対向する長側壁４、６と、底壁２の短側辺から立設された一対の対向する短側壁８、１０とから構成される上部が開口した箱体形状の容器本体１２を備えている。そして、容器本体１２の内部には、略円筒形状の物品Ｐを横に伏せた状態で収容する物品収容部１４が形成されている。
【００７２】
また、一対の対向する長側壁４、６にはそれぞれ、図１に示したように、長側壁４、６の上縁４ａ、６ａを含む範囲を切欠くように、一対の対向する略矩形状の長側側切欠部１６、１８が形成されている。
【００７３】
このように、一対の対向する長側壁４、６に、長側壁４、６の上縁４ａ、６ａを含む範囲を切欠いて長側側切欠部１６、１８が形成されているので、使用に際して、この長側側切欠部１６、１８を介して、例えば、マニュプレータなどのピックアップ装置を挿入して操作することができ、煩雑な作業が不要で、略円筒状の物品Ｐを汚染、損傷することなく、収容用容器１内に収容し、収容用容器１内から取り出しすることが可能である。
【００７４】
また、このように長側側切欠部１６、１８が形成されているので、図４に示したように、収容用容器１内に収容した物品Ｐに対して、例えば、噴出ノズル３０によって、上方の開口部および長側側切欠部１６、１８を介して、洗浄液、処理液など噴霧できるので、洗浄液、処理液などで処理する際にも、物品Ｐのすみずみまで洗浄などの処理を行うことができる。
【００７５】
一方、短側壁８、１０にはそれぞれ、図１および図４に示したように、略矩形状の開口窓部２０、２２が形成されている。なお、この場合、開口窓部２０、２２は、一対の対向する短側壁８、１０の少なくと一方に設けてあれば良い。
【００７６】
すなわち、この開口窓部２０、２２は、図５に示したように、例えば、コンベアなどの搬送ライン２４を利用して、大量に連続的に処理する場合に、ライン上方の搬送方向上流側に配置したカメラ２６によって、搬送ライン２４上を矢印Ｆ方向に搬送されてくる収容用容器１内の物品収容部１４に収容された物品Ｐの先端の確認を確実に行うことができるようにするためのものである。
【００７７】
従って、搬送方向の上流側に面して配置すれば、搬送方向の上流側に位置する開口窓部２０、２２を介して、ライン上方の搬送方向上流側に配置したカメラ２６によって、収容用容器１内の物品収容部１４に収容された物品Ｐの先端を確認できる。
【００７８】
なお、短側壁８、１０の両側に開口窓部２０、２２を設けておけば、前後を区別することなく、搬送ライン上に収容用容器１を載置すれば、ライン上方の搬送方向上流側に配置したカメラ２６によって、搬送方向の上流側に位置する開口窓部２０、２２を介して、収容用容器１内の物品収容部１４に収容された物品Ｐの先端または両端を確認でき便利である。
【００７９】
なお、この開口窓部２０、２２の大きさは、図５に示したように、ライン上方の搬送方向上流側に配置するたカメラ２６の配置位置、ならびに、物品Ｐの大きさを考慮して、物品Ｐを撮像できる範囲Ｑとなるように、適宜選択すれば良く、特に限定されるものではない。
【００８０】
また、底壁２には、図４に示したように、容器本体１２の長手方向から視て、略Ｖ字形状で、物品収容部１４に収容した略円筒形状の物品Ｐの外周部を移動不能に支持する支持リブ２８が形成されている。
【００８１】
この場合、支持リブ２８は、図１および図３に示したように、容器本体１２の長手方向の軸線方向Ｅに対して、所定角度あるα傾斜して交差する格子状に形成された傾斜格子状支持リブ２８ａ、２８ｂから構成されている。
【００８２】
このように構成することによって、支持リブ２８によって、物品収容部１４に収容した略円筒形状の物品Ｐの外周部を移動不能に支持することができるので、物品Ｐを安定した状態で収納でき、搬送中の振動などによって、物品が移動して容器本体１２の壁部などに当たって、物品自体が破損損傷するのを防止することができる。
【００８３】
しかも、図４に示したように、支持リブ２８が、容器本体１２の長手方向から視て、略Ｖ字形状であるので、大小異なる直径を有する略円筒形状の物品Ｐであっても、いずれもその外周部を移動不能に支持することができる（図４の点線と一点鎖線参照）。
【００８４】
さらに、支持リブ２８が、傾斜格子状支持リブ２８ａ、２８ｂから構成されているので、図５に示したように、例えば、コンベアなどの搬送ライン２４を利用して、大量に連続的に処理する場合に、搬送ライン２４上を搬送されてくる収容用容器１内の物品Ｐに対して、搬送ライン２４の下方または側部に配置したＸ線、赤外線などの照射検査装置による物品内部の品質などの検査を実施する際に（図１の矢印Ｇ、Ｈ方向参照）、Ｘ線、赤外線などの照射検査装置では、図１に示したように、搬送ラインの進行方向Ｆ、すなわち、略円筒形状の物品Ｐの軸線方向に対して（すなわち、容器本体１２の長手方向の軸線方向Ｅに対して）、垂直な方向Ｉで断面を取って検査することになる。
【００８５】
このために、支持リブが容器本体の軸線方向と平行な直交リブから構成されている場合には、リブが直線として映ってしまい、物品の内部の検査の邪魔になってしまうが、上記のように傾斜格子状支持リブ２８ａ、２８ｂから構成されている場合には、このような映りこみを減少することができ、Ｘ線、赤外線などの照射検査装置による物品内部の品質などの検査を効率良く実施することができる。
【００８６】
この場合、このような映りこみを減少する効果を考慮すれば、上記所定角度αは、３０〜６０°、特に好ましくは、４５°に設定するのが望ましい。
一方、図１〜図４に示したように、底壁２と、長側壁４、６と、短側壁８、１０には、それぞれ、複数の底壁水抜き孔３２と、長側壁水抜き孔３４、３６と、短側壁水抜き孔３８、４０が形成されている。
【００８７】
なお、この場合、図１〜図４に示したように、底壁２に形成される底壁水抜き孔３２は、傾斜格子状支持リブ２８ａ、２８ｂによって形成される貫通孔から構成されているのが収容用容器１の軽量化などを図るためには望ましい。
【００８８】
これらの水抜き孔３２〜４０が形成されることによって、洗浄液などの処理液にて、物品Ｐを処理する際に、これらの水抜き孔３２〜４０を介して、処理液を収容用容器１内に滞留することなく収容用容器１外に排出することが可能で、洗浄性などの処理効率が良好となる。従って、この場合、これらの水抜き孔３２〜４０のサイズとしては、このような処理液の排出効果が期待できるサイズであれば、特に限定されるものではない。
【００８９】
なお、この場合、図１および図２に示したように、長側壁４、６に形成された長側壁水抜き孔３４、３６は、底壁部水抜き孔３２の傾斜格子状支持リブ２８ａ、２８ｂと同様に、容器本体１２の長手方向の軸線方向Ｅに対して、所定角度α傾斜して交差する格子状に形成され傾斜格子状水抜孔３４ａ、３６ａであり、この傾斜格子状水抜孔３４ａ、３６ａが、長側側切欠部１６、１８の下方の長側壁４、６に形成されているのが望ましい。
【００９０】
このように長側壁４、６に形成された長側壁水抜き孔３４、３６が、容器本体１２の長手方向の軸線方向Ｅに対して、所定角度α傾斜して交差する格子状に形成され傾斜格子状水抜孔３４ａ、３６ａから構成されているので（図１１参照）、搬送ライン２４の側部に配置したＸ線、赤外線などの照射検査装置による物品Ｐの内部の品質などの検査を実施する際に、上記したような映りこみを減少することができ、Ｘ線、赤外線などの照射検査装置による物品内部の品質などの検査を効率良く実施することができる。
【００９１】
特に、少なくとも、長側側切欠部１６、１８の位置の上下に渡って、上記したような映りこみを減少することができ、Ｘ線、赤外線などの照射検査装置による物品内部の品質などの検査を効率良く実施することができる。
【００９２】
なお、この実施例の場合には、この傾斜格子状水抜孔３４ａ、３６ａが、長側側切欠部１６、１８の下方の長側壁４、６に形成したが、長側壁４、６に形成される長側壁水抜き孔３４、３６をすべて、傾斜格子状水抜孔３４ａ、３６ａとなるようにしても良い。
【００９３】
また、図１〜図４に示したように、底壁２に形成した支持リブ２８が、容器本体１２の短手方向に立設され、容器本体１２の長手方向から視て、略Ｖ字形状の補助支持リブ４２を備えている。
【００９４】
この場合、この補助支持リブ４２が、長側側切欠部１６、１８が形成されていない位置の底壁２から長側壁４、６にわたり形成されているのが望ましい。
このように構成することによって、補助支持リブ４２によって、物品収容部に収容した略円筒形状の物品Ｐの外周部を、さらに移動不能に支持することができるので、物品を安定した状態で収納でき、搬送中の振動などによって、物品が移動して容器本体の壁部などに当たって、物品自体が破損損傷するのを防止することができる。
【００９５】
また、この補助支持リブ４２が形成されているので、物品収容部１４に物品を収容した際に、リブの補強効果によって、長側壁４、６が外方向に開いてしまうのを防止することができる。
【００９６】
しかも、補助支持リブ４２が、容器本体１２の長手方向から視て、略Ｖ字形状であるので、大小異なる直径を有する略円筒形状の物品であっても、いずれもその外周部を移動不能に支持することができる（図４の点線および一点鎖線参照）。
【００９７】
さらに、この補助支持リブ４２が、長側側切欠部１６、１８が形成されていない位置に形成されているので、ラインの側部に配置したＸ線、赤外線などの照射検査装置による物品内部の品質などの検査を長側側切欠部１６、１８を介して実施する際に、長側側切欠部１６、１８の位置に、補助支持リブ４２が存在しないので、補助支持リブ４２による上記したような映りこみを減少することができ、Ｘ線、赤外線などの照射検査装置による物品内部の品質などの検査を効率良く実施することができる。
【００９８】
また、図１および図２に示したように、容器本体１２の長側壁４、６には外側に、ラベル貼り付け用平坦部３が形成されている。なお、このラベル貼り付け用平坦部３は、容器本体１２の長側壁４、６、短側壁８、１０の少なくとも一方の外側に設ければよく、特に限定されるものではない。
【００９９】
このように構成することによって、容器本体の長側壁、短側壁の少なくとも一方の外側に、ラベル貼り付け用平坦部が形成されているので、例えば、バーコードなどの識別ラベルを貼着することによって、収容用容器内に収容された物品の種類、製造年月日、仕向け先などの情報を把握することができるので、運搬、洗浄処理などの際に、自動化などを図
ることができ、極めて効率的で便利である。
【０１００】
さらに、図１および図２に示したように、短側壁８、１０の開口窓部２０、２２の上部には、容器本体１２を持ち上げる際に、把持部を形成するとともに、強度を保持するために高さ方向に厚さを有する把持部２１、２３が形成されている。なお、この把持部２１、２３は、図６に示したように、容器本体１２同士を、同じ方向に上下に重ね合わせた場合に、複数の容器本体１２を持ち上げる際に、強度を保持することができ、特に効果的である。
【０１０１】
また、図６に示したように、容器本体１２同士を、同じ方向に上下に重ね合わせた場合に、上下の容器本体１２同士が互いに移動不能に位置決めされるように、容器本体の上面には、図１に示したように、隅角部と、短側壁８、１０の中央の位置に、係止用凸部４４、４６が形成されている。一方、図２に示したように、これらの係止用凸部４４、４６に対応する位置に、容器本体１２の底面にこれらの係止用凸部４４、４６に嵌合する係止用凹部４８、５０が形成されている。
【０１０２】
このように構成することによって、図６に示したように、容器本体１２同士を、同じ方向に上下に重ね合わせた場合に、上下の容器本体１２同士が互いに移動不能に位置決めすることができるので、搬送の際の振動などによって容器同士がずれ、荷くずれが発生するのを防止することができる。
【０１０３】
さらに、本発明の収容用容器１では、図１に示したように、長側側切欠部１６、１８の容器本体１２の長手方向の幅Ａが、短側壁８、１０の容器本体１２の短手方向の長さＢよりも僅かに大きくなっている。また、長側側切欠部１６、１８の容器本体１２の高さ方向の深さＣが、容器本体１２の長側壁４、６の高さＤの１／２以上の大きさとなっている。
【０１０４】
従って、図７および図８に示したように、容器本体１２同士を９０°ずらして交差するように上下に積み重ねるクロス積みを行う際に、下方に位置する容器本体１２の長側側切欠部１６、１８を貫通するように、上方に位置する容器本体１２の長側側切欠部１６、１８の下方の容器本体部分５２、５４が、下方に位置する容器本体１２の長側側切欠部１６、１８に載置されることになる。
【０１０５】
このように構成することによって、容器本体１２同士を９０°ずらして交差するように上下に積み重ねるクロス積みを行う際に、長側側切欠部１６、１８の容器本体の長手方向の幅Ａが、短側壁８、１０の容器本体の短手方向の長さＢよりも僅かに大きいので、図７に示したように、上方に位置する容器本体１２の長側側切欠部１６、１８の下方の容器本体部分５２、５４を、下方に位置する容器本体１２の長側側切欠部１６、１８内に収容することができる。
【０１０６】
しかも、この場合に、長側側切欠部１６、１８の容器本体１２の高さ方向の深さＣが、容器本体１２の長側壁４、６の高さＤの１／２以上の大きさであるので、図７に示したように、上方に位置する容器本体１２の長側側切欠部１６、１８の下方の容器本体部分５２、５４の上端５６、５８が、下方に位置する容器本体１２の長側壁４、６の上端位置６０、６２より突出しない位置となる。
【０１０７】
従って、図８に示したように、上方に位置する容器本体１２のさらに上方に位置する容器本体１２が、同じ姿勢で位置する下方の容器本体１２の上面に接地状態で載置されることになるので、嵩が高くなることなく、しかも安定してクロス積みを行うことができる。
【０１０８】
さらに、この際には、図８に示したように、下方の容器本体１２の長側側切欠部１６、
１８の両側の側端面１６ａ、１８ａが、上方の容器本体１２の長側壁４、６に当接することになり、容器本体が軸方向に移動するのが阻止され、安定してクロス積みができ、搬送の際の振動などによって容器同士がずれ、荷くずれが発生するのを防止することができる。
【０１０９】
従って、このような繰り返しのクロス積みによって、図８に示したように、下方に位置する容器本体１２の長側側切欠部１６、１８を貫通するように、上方に位置する容器本体１２の長側側切欠部１６、１８の下方の容器本体部分５２、５４が、下方に位置する容器本体１２の長側側切欠部１６、１８に載置されるようになり、物品を収納しない状態で、収容用容器１同士を上下に重ね積みして保管、運搬する場合に、安定して、嵩張らず、保管スペースを小さくできるとともに、取り扱いに便利で、搬送効率を向上することができる。
【０１１０】
なお、この場合、図２に示したように、容器本体１２の底壁２の下面には、容器本体同士を９０°ずらして交差するように上下に積み重ねるクロス積みを行う際に、下方に位置する容器本体１２の傾斜格子状支持リブ２８ａ、２８ｂを収容する収容する収容凹部６４が形成されている。
【０１１１】
このように構成することによって、容器本体１２同士を９０°ずらして交差するように上下に積み重ねるクロス積みを行う際に、下方に位置する容器本体１２の傾斜格子状支持リブ２８ａ、２８ｂが、容器本体１２の底壁２の下面の収容凹部６４に収容されることになるので、傾斜格子状支持リブ２８ａ、２８ｂが邪魔にならず、嵩が高くなることなく、安定してクロス積みを行うことができる。
【０１１２】
なお、図９に示したように、長側側切欠部１６、１８の容器本体１２の長手方向の幅Ａが、短側壁８、１０の容器本体の短手方向の長さＢの整数倍の大きさよりも僅かに大きく、長側側切欠部１６、１８の容器本体の高さ方向の深さＣが、容器本体の長側壁の高さＤの１／２以上の大きさとしてもよい。
【０１１３】
これによって、図９に示したように、容器本体同士１２を９０°ずらして交差するように上下に整数個ずつ積み重ねるクロス積みを行う際に、下方に位置する容器本体１２の長側側切欠部１６、１８を貫通するように、上方に位置する容器本体１２の長側側切欠部１６、１８下方の容器本体部分５２、５４が、下方に位置する容器本体１２の長側側切欠部１６、１８に載置される。
【０１１４】
このように構成することによって、容器本体同士を９０°ずらして交差するように上下に整数個ずつ積み重ねるクロス積みを行うことができ、物品を収納しない状態で、収容用容器同士を上下に重ね積みして保管、運搬する場合に、安定して、嵩張らず、保管スペースを小さくできるとともに、取り扱いに便利で、搬送効率を向上することができる。
【０１１５】
なお、図示しないが、支持リブ２８、補助支持リブ４２の略円筒形状の物品と接触する表面に滑り止め防止部が形成されているのが望ましい。この場合、滑り止め防止部としては、特に限定されるものではないが、ゴム、エラストマー系樹脂からなる滑り止め防止部材を接着剤などで取り付けるか、または、エラストマー系樹脂を一体成形すればよい。
【０１１６】
このように構成することによって、物品収容部１４に収容した略円筒形状の物品Ｐの外周部を、滑り止め防止部によって、さらに移動不能に支持することができるので、物品を安定した状態で収納でき、搬送中の振動などによって、物品が移動して容器本体１２の壁部などに当たって、物品自体が破損損傷するのを防止することができる。
【０１１７】
また、容器本体は、合成樹脂から成形するのが望ましいが、このような合成樹脂としては、特に限定されるものではなく、公知の合成樹脂を用いることができる。
この場合、導電性樹脂、好ましくは、持続性帯電防止グレードの樹脂により形成することもできる。このように導電性樹脂を採用すれば、帯電防止を図ることができるので、例えば、静電気などの電気の影響を受けやすい電子部品などの物品Ｐを運搬する場合であっても、その物品を電気的な障害から保護することができる。このように導電性樹脂とするには、予め溶融樹脂の材料の中に、カーボン粒子、金属粉末などを混練させて、成形しても良く、または、成形後に導電性塗料などを塗布することもできる。
【０１１８】
図１０は、本発明の収容用容器の別の実施例の略円筒形状の物品Ｐを収容した状態を示す上面図、図１１は、図１０の収容用容器の側面図である。
この実施例の収容用容器１は、図１〜図４に示した収容用容器１と基本的には同様な構成であり、同一の構成部材には同一の参照番号を付している。
【０１１９】
この実施例の収容用容器１では、図１０および図１１に示したように、一対の対向する短側壁８、１０の近傍の底壁２に、略円筒形状の物品Ｐの長手方向の移動を規制する移動防止リブ６８、７０が立設されている。
【０１２０】
このように構成することによって、略円筒形状の物品Ｐを横に伏せた状態で、容器本体１２の物品収容部１４に収容した際に、移動防止リブ６８、７０によって、物品の長手方向の移動が阻止されるので、搬送中などの振動によって容器本体１２の内部で、物品Ｐが移動して、検査などを行う際に一定の検査を行うことができず、しかも、物品が移動して容器本体の壁部などに当たって、物品自体が破損損傷するのを防止することができる。
【０１２１】
なお、この場合、移動防止リブ６８、７０のいずれか一方を設けるようにして良いが、物品Ｐの移動を防止する効果からすれば、移動防止リブ６８、７０の両方を設けておくのが望ましい。
【０１２２】
なお、図１０および図１１では、一対の対向する短側壁８、１０の近傍の底壁２に、略円筒形状の物品Ｐの長手方向の移動を規制する移動防止リブ６８、７０が立設したが、この代わりに、またはこれらの移動防止リブ６８、７０とともに、図１１に示したように、一対の対向する短側壁の少なくとも一方の開口窓部２０、２２に、略円筒形状の物品の長手方向の移動を規制する物品飛び出し防止リブ７１、７３を立設しても良い。
【０１２３】
このように構成することによって、略円筒形状の物品Ｐを横に伏せた状態で、容器本体１２の物品収容部１４に収容した際に、開口窓部２０、２２に立設した物品飛び出し防止リブによって、物品の長手方向の移動が阻止されるので、搬送中などの振動によって容器本体１２の内部で、物品Ｐが移動して、検査などを行う際に一定の検査を行うことができず、しかも、物品が移動して容器本体１２の壁部などに当たって、物品自体が破損損傷するのを防止することができるとともに、開口窓部２０、２２から物品Ｐが収容用容器外部に飛び出して破損損傷するのを防止することができる。
【０１２４】
さらに、容器本体１２同士を、１８０°異なる方向で上下に重ね合わせた場合に、嵩が高くなり、容器本体１２同士を、同じ方向に上下に重ね合わせた場合に、嵩が低くなるようにするスタッキング・ネスティング機構を容器本体に備えることもできる。
【０１２５】
このように構成することによって、容器本体同士を、１８０°異なる方向で上下に重ね合わせてスタッキングすることができ（いわゆる「異形状スタッキング」と言う）、容器本体同士を、同じ方向に上下に重ね合わせることができ（いわゆる「同形状ネスティング」と言う）、不使用時に嵩を低くして、省スペース化を図ることができ、運搬、保管に極
めて便利である。
【０１２６】
このようなスタッキング・ネスティング機構としては、図１２に示したように、容器本体１２の長側壁４、６の外側の下半部分に、相互に位置をずらして（すなわち、支脚部７２の間の距離と、支脚部７４との間の距離が相違するように）、それぞれ２個の支脚部７２、７４を設けている。そして、これらの支脚部７２、７４に対応する位置に、容器本体１２の長側壁４、６の内側の上半部分に、支脚部嵌合用凹部（ポケット部）７６、７８が形成されている。
【０１２７】
これにより、図１２に示したように、容器本体１２同士を、同じ方向に上下に重ね合わせた場合に、上方に位置する容器本体１２の支脚部７２、７４が、下方に位置する容器本体１２の支脚部嵌合用凹部７６、７８に嵌合することになる。従って、図１４に示したように、容器本体同士を、同じ方向に上下に重ね合わせることができる。
【０１２８】
一方、図１３に示したように、容器本体１２同士を、１８０°異なる方向で上下に重ね合わせることによって、上方に位置する容器本体１２の支脚部７２、７４が、下方に位置する容器本体１２の支脚部嵌合用凹部７６、７８と位置がずれることになり、上方に位置する容器本体１２の支脚部７２、７４が、下方に位置する容器本体１２の長側壁４、６の上縁４ａ、６ａに載置されることになり、これによって、スタッキングすることができる。
【０１２９】
なお、この実施例では、いわゆる異形状スタッキング、同形状ネスティングされる収容用容器１について説明したが、本発明はこれに限定されるものではなく、例えば、同形状スタッキング、異形状ネスティングされる収容用容器にも適用可能である。また、スタッキング・ネスティング機構は、公知の様々な態様を搭載することができる。
【０１３０】
図１５および図１６は、本発明の収容用容器の別の実施例の斜視図である。
この実施例の収容用容器１は、基本的には、図１に示した収容用容器１と同様な構成であり、同じ構成部材には、同じ参照番号を付して、その詳細な説明を省略する。
【０１３１】
図１の実施例の収容用容器１では、容器本体１２の上面の隅角部と、短側壁８、１０の中央の位置に係止用凸部４４、４６を形成し、容器本体１２の底面にこれらの係止用凸部４４、４６に嵌合する係止用凹部４８、５０を形成している。
【０１３２】
これに対して、図１５および図１６の実施例の収容用容器１では、これらの係止用凸部４４、４６、係止用凹部４８、５０の代わりに、容器本体１２の底面に、下方に位置する容器本体の上部の開口に嵌合する係止用凸部４５が形成されている。
【０１３３】
これにより、容器本体１２同士を、同じ方向に上下に重ね合わせた場合に、上方の容器本体１２の底面に形成した係止用凸部４５が、下方に位置する容器本体１２の上部の開口に嵌合することによって、上下の容器本体１２同士が互いに移動不能に位置決めされるようになっている。
【０１３４】
このような収容容器１であっても、多段に積載してスタッキングすることが可能になる。
また、図１７〜図１９はさらに別の実施例を示したものである。
この実施例の収容用容器１も図１に示した収容用容器１と基本的な構造は同様であり、同一要素を同一符号を付して詳細な説明を省略する。
【０１３５】
すなわち、この実施例の収容用容器１にも、略Ｖ字形状で略円筒状の物品Ｐの外周部を
移動不能に支持する傾斜格子状支持リブ２８ａ、２８ｂから構成される支持リブ２８が底壁２に具備されている。一方、対向する一対の長側壁４，６には、それらの上縁４ａ，６ａを含む範囲を切り欠いて長側側切欠部１６，１８が形成されている。また、対向する一対の短側壁８，１０には、開口窓部２０，２２がそれぞれ形成されている。
【０１３６】
さらに、容器本体１２の底面には、その外縁部のやや内側を囲む範囲に、下方に突出する係止用凸部４５が形成されている。
このような収容容器１は、図１７に示したように、容器本体１２の短側壁８，１０の上縁８ａ，１０ａに、ラベル貼り付け用凹部１００，１０２が形成されている。このような位置に形成されたラベル貼り付け用凹部１００，１０２に、例えば、バーコードなどの識別ラベルを貼着すれば、容器本体１２の上方向からであっても、収容用容器１内に収容された物品の種類、製造年月日、仕向け先などの情報を把握することができる。
【０１３７】
さらに、図１７，１８，１９に示した実施例の収容容器１では、略円筒状の物品Ｐを横に伏せた状態で容器本体１２の物品収容部に収容した場合に、搬送中の振動などによって物品Ｐが移動するようなことがあっても、その開口窓部２０，２２から外方に飛び出ることがないように、開口窓部２０，２２の大きさが略円筒状の物品Ｐの直径よりも小さく設定されている。すなわち、略矩形状に形成された開口窓部２０，２２の縦横の長さの少なくとも一方の長さは、物品Ｐの直径よりも小さい。このように開口窓部２０，２２の幅をある程度狭くすることにより、内容物の飛び出しを確実に防止することができる。
【０１３８】
また、本実施例では、短側壁８，１０に形成された開口窓部２０，２２を水平方向に横断するように、短側壁８，１０の外面に近接してチャック対応凹部１０４，１０６が形成されている。すなわち、短側壁８，１０における開口窓部２０，２２と略同じ高さの位置には、縦方向のリブが形成されていない。
【０１３９】
このようにしてチャック対応凹部１０４，１０６を短側壁８，１０に設ければ、自動取出しを行う場合に、マニュプレータなどのピックアップ装置を外方から近づけてきたとしても、側壁が邪魔になることがない。したがって、自動取出しを行う場合の操作性が良好になる。
【０１４０】
さらに、本実施例では、図１６に示した容器本体１２と同様に、容器本体１２の底壁２に、下方に突出する係止用凸部４５が形成されている。このような係止用凸部４５が形成されることにより、容器本体１２同士を、同じ方向に上下に重ね合わせた場合に、上方の容器本体１２の底面に形成した係止用凸部４５が、下方に位置する容器本体１２の上部の開口に嵌合されるようになっている。
【０１４１】
そして、図１８に示したように、この係止用凸部４５における長辺部には、所定間隔離間して、バンド掛け用凹部１０８ａ，１０８ｂと、バンド掛け用凹部１１０ａ、１１０ｂとがそれぞれ形成されている。
【０１４２】
このようなバンド掛け用凹部１０８ａ，１１０ａとバンド掛け凹部１０８ｂ，１１０ｂに、それぞれバンドを掛け渡して、２本のバンドで物品Ｐを押さえるようにすれば、物品Ｐを確実に捕捉し、物品の移動および落下を強制的に防止することができる。また、このバンドは、一段低く形成されたバンド掛け用凹部１０８ａ、１０８ｂとバンド掛け用凹部１１０ａ、１１０ｂ内に通されているので、バンドが不用意に移動してしまうようなことはない。したがって、移動中に振動などが生じた場合であっても、バンドが外れたり、移動したりしてしまうようなことはない。
【０１４３】
したがって、このような構成を採用すれば、収容用容器１内の物品Ｐを移動することは
もとより、洗浄あるいは、Ｘ線、赤外線などの照射装置により内部の品質などの検査を行う場合であっても、物品が移動して容器本体の壁部などに当たって、物品自体が破損損傷することを確実に防止することができる。
【０１４４】
さらに，本実施例では、物品Ｐが仮に移動してしまった場合に、短側壁８，１０に形成された開口窓部２０，２２から外に飛び出すことがないように、略矩形状の開口窓部２０，２２の縦横の長さの少なくとも一方の長さは、物品Ｐの直径よりも小さく形成されている。
【０１４５】
このように，開口窓部２０，２２の開口幅をある程度小さく設定すれば、物品の飛び出しを防止できるので、図１１に示した物品飛び出し防止リブ７１，７３などを省略することができる。
【０１４６】
このように本発明は様々な変形が可能である。
以上、本発明の好ましい実施の態様を説明してきたが、本発明はこれに限定されることはなく、例えば、鮮魚、野菜、果物、日常品、建築資材、電気・電子部品、精密部品など、全体の形状が、略円筒状の物品であればいかなる物品であっても適用できるなど本発明の目的を逸脱しない範囲で種々の変更が可能である。
【図面の簡単な説明】
【０１４７】
【図１】図１は、本発明の収容用容器の斜視図である。
【図２】図２は、図１の収容用容器の底面方向からの斜視図である。
【図３】図３は、図１の収容用容器の上面図である。
【図４】図４は、図３の収容用容器のＩ−Ｉ方向の断面図である。
【図５】図５は、図１の収容用容器に略円筒形状の物品を搬送ラインで連続的に処理する状態を説明する概略断面図である。
【図６】図６は、図１の収容用容器をスタッキングした状態の斜視図である。
【図７】図７は、図１の収容用容器の容器本体同士を９０°ずらして交差するように上下に積み重ねるクロス積みの状態を説明する斜視図である。
【図８】図８は、図１の収容用容器の容器本体同士を９０°ずらして交差するように上下に積み重ねるクロス積みの状態を説明する斜視図である。
【図９】図９は、図１の収容用容器の容器本体同士を９０°ずらして交差するように上下に２個ずつ積み重ねるクロス積みの状態を説明する上面図である。
【図１０】図１０は、本発明の収容用容器の別の実施例の略円筒形状の物品Ｐを収容した状態を示す上面図である。
【図１１】図１１は、図１０の収容用容器の側面図である。
【図１２】図１２は、容器本体１２同士を、同じ方向に上下に重ね合わせ、ネスティングする状態を説明する上面概略図である。
【図１３】図１３は、容器本体１２同士を、１８０°異なる方向で上下に重ね合わせ、スタッキングする状態を説明する上面概略図である。
【図１４】図１４は、容器本体１２同士を、同じ方向に上下に重ね合わせ、ネスティングした状態を説明する正面図である。
【図１５】図１５は、本発明の収容用容器の別の実施例の斜視図である。
【図１６】図１６は、図１５の収容用容器の底面方向からの斜視図である。
【図１７】図１７は、さらに別の実施例の収容用容器の斜視図である。
【図１８】図１８は、図１７の収容用容器の底面方向からの斜視図である。
【図１９】図１９は、図１７および図１８に示した収容用容器の正面図である。
【符号の説明】
【０１４８】
１ 収容用容器
２ 底壁
３    ラベル貼り付け用平坦部
４ａ、６ａ 上縁
４、６   長側壁
８、１０ 短側壁
１２ 容器本体
１４ 物品収容部
１６、１８ 長側側切欠部
１６ａ 、１８ａ  側端面
２０、２２ 開口窓部
２１、２３    把持部
２４ 搬送ライン
２６ カメラ
２８ 支持リブ
２８ａ 、２８ｂ  傾斜格子状支持リブ
３０ 噴出ノズル
３２ 底壁水抜き孔
３４ａ 、３６ａ  傾斜格子状水抜孔
３４、３６ 長側壁水抜き孔
３８、４０ 短側壁水抜き孔
４２ 補助支持リブ
４４、４６ 係止用凸部
４５  係止用凸部
４８、５０ 係止用凹部
５２、５４ 容器本体部分
５６、５８ 上端
６０、６２ 上端位置
６４  収容凹部
６８、７０ 移動防止リブ
７１、７３  物品飛び出し防止リブ
７２、７４ 支脚部
７６、７８ 支脚部嵌合用凹部
Ｅ 軸線方向
Ｆ 進行方向
α 所定角度
１００、１０２  ラベル貼り付け用凹部
１０４，１０６  チャック対応凹部
１０８ａ，１０８ｂ，１１０ａ、１１０ｂ  バンド掛け用凹部
【図１】
2005132485.tif 000003
【図２】
2005132485.tif 000004
【図３】
2005132485.tif 000005
【図４】
2005132485.tif 000006
【図５】
2005132485.tif 000007
【図６】
2005132485.tif 000008
【図７】
2005132485.tif 000009
【図８】
2005132485.tif 000010
【図９】
2005132485.tif 000011
【図１０】
2005132485.tif 000012
【図１１】
2005132485.tif 000013
【図１２】
2005132485.tif 000014
【図１３】
2005132485.tif 000015
【図１４】
2005132485.tif 000016
【図１５】
2005132485.tif 000017
【図１６】
2005132485.tif 000018
【図１７】
2005132485.tif 000019
【図１８】
2005132485.tif 000020
【図１９】
2005132485.tif 000021